(57)【要約】【課題】  個々人が描きたいものを画材として、絵を描くのが不得手な者でも出来栄えの良い絵画を容易に作製する方法を提供する。【解決手段】  以下の構成より、この課題を解決する。  （イ）任意の写真をコンピュータで画像処理して、当該写真の被写体の輪郭線をつくる。  （ロ）輪郭線を、その色を淡彩色として、プリンターで紙に印刷する。  （ハ）紙に印刷された淡彩色の輪郭線を下絵として、ペンでなぞることで線画を描く。【選択図】なし【特許請求の範囲】
【請求項１】
（イ）任意の写真をコンピュータで画像処理して、当該写真の被写体の輪郭線をつくる。
（ロ）輪郭線を、その色を淡彩色として、プリンターで紙に印刷する。
（ハ）紙に印刷された淡彩色の輪郭線を下絵として、ペンでなぞることで線画を描く。
以上のような構成よりなる絵画の作製方法
【発明の詳細な説明】
【技術分野】
【０００１】  本発明は、写真の被写体の輪郭線を下絵とする絵画の作製方法に関するものである。
【背景技術】
【０００２】  従来、小児用の教材として、動物やアニメのキャラクターなどのイラストが線画として帳面に印刷されており、それをなぞったり、塗ったりすることで絵を描くものがある。また、近年では、これと同じ仕組みで、大人でも楽しめるように画材を静物画や風景画などとするものがある。これらは専門家が描いた原画を出版物として大量発行されるものであり、利用者はこれらの中から画材を選ばざるを得なく、自由に画材を決められない。【０００３】  一方、絵を描く方法として、画材とするものを写真に撮り、これを模写する方法が一般に知られているが、この作業は技術を要し、絵を描くのが不得手な者にとっては困難である。これを解決するひとつの技術として、トレーシングペーパーで写真の被写体の輪郭線を写し取り、これをカーボン紙で転写して下絵を作製する方法がある。また、特開平１１−１６５５００号公報に記載のように、写真の表面に油絵の具で絵を描く方法や、特許公開２００７−６５６０３号公報に記載のように、写真等を取り込み、描く盤に投射や写し出す等したものの上からなぞるなどの方法が提案されている。
【特許文献１】特開平１１−１６５５００号公報  写真の表面に油絵の具で絵を描く絵画の製作方法
【特許文献２】特許公開２００７−６５６０３号公報  絵画・イラスト・製図等の練習機器および方法
【発明の開示】
【発明が解決しようとする課題】
【０００４】  前記技術は、写真そのものを下絵とし、また、写真等を盤に投射したものを下絵として絵を描くものであるが、絵を描く作業において、描いた線等が下絵とする写真と重なり、描いた線等が不明瞭となり、作業を阻害してしまう場合があり、絵を描く楽しさを損なっていた。【０００５】  同様に、下絵を作製すべくトレーシングペーパーで写真の被写体の輪郭線を写し取る作業においても、描いた輪郭線が写真と重なり、作業を阻害してしまう場合があった。また、下絵を作製するにはトレーシングペーパーで写し取ったものを再度、カーボン紙で転写する必要があり、手間を要した。【０００６】  本発明は、これらの欠点を除き、個々人が描きたいものを画材とし、すなわちこれを撮影した任意の写真をもとに、出来栄えの良い絵画を容易に作製する方法を開発しようとするものである。
【課題を解決するための手段】
【０００７】  （イ）任意の写真をコンピュータで画像処理して、当該写真の被写体の輪郭線をつくる。
（ロ）輪郭線を、その色を淡彩色として、プリンターで紙に印刷する。
（ハ）紙に印刷された淡彩色の輪郭線を下絵として、ペンでなぞることで線画を描く。
本発明は、以上のような構成よりなる絵画の作製方法である。
【発明の効果】
【０００８】  本発明によれば、個々人が描きたいものを画材とし、これを撮影した任意の写真をコンピュータ処理することにより労力を要することなく、被写体の輪郭線を淡彩色で印刷した下絵を作製することが可能となる。【０００９】  そして、この下絵を利用すれば、これを利用して絵を描く者（以下、利用者という。）は絵を描くことが不得手でも、淡彩色の線を任意に取捨選択してペンでなぞるだけで出来栄えの良い線画を作製することができる。【００１０】  写真の被写体の輪郭線を下絵とするため、これをガイドラインとして、利用者は容易に線画を描くことができるだけでなく、写真では色や濃淡などの多くの情報に紛れて捉えにくくなっている被写体の形状などが明確となり、これをなぞる作業と相まって、利用者の当該写真にまつわる思い出の想起や新たな発見につながる。【００１１】  また、下絵を淡彩色の線とするため、従来技術のように、下絵により利用者が描いた線が不明瞭になることがなく、利用者はスムーズに線を描き進めることができ、絵を描く楽しさが損なわれることがない。そして、下絵をガイドラインとしながらも、利用者は自由に線を描くことで、写真にまつわる思い出などを線画に織り込むことができる。【００１２】  このように作製された線画は、出来栄えが良いだけでなく、利用者の個性が表現された世界でひとつだけの絵画となる。
【発明を実施するための最良の形態】
【００１３】  画材としたいものをカメラで撮影して写真とする。既に写真がある場合は、これを利用する。【００１４】  この写真を、デジタルデータとしてコンピュータに取り込む。デジタルカメラで撮影されたものであれば、デジタルデータとして、直接、コンピュータに取り込むことができるが、紙の写真でデジタルデータでない場合にはスキャナやデジタルカメラを使用してデジタル化したうえで、コンピュータに取り込む。なお、写真の被写体の輪郭線を下絵とする本発明の特徴から、写真のデジタルデータは必ずしも高解像度である必要はなく、一例として携帯電話に付属するカメラで撮影した解像度の低いものでも利用することができる。【００１５】  写真のデジタルデータをコンピュータにより画像処理して、写真の被写体の輪郭線を抽出する。この画像処理には、一般に市販されている画像処理ソフトウェアで、輪郭線の抽出機能を有するものを利用することができる。【００１６】  この画像処理の前処理として、画像処理ソフトウェアの機能を利用して、写真をトリミングすることで、構図を自由に決めることができる。【００１７】  画像処理により抽出した輪郭線は、その色を黄色などの淡彩色として、コンピュータに接続したプリンターで紙に印刷し、下絵を作製する。【００１８】  印刷する紙について、コピー用紙など一般的なものを使用できるが、仕上がりのイメージやペンなどの筆記具の描き味にあわせて、和紙など様々な紙を使用してもよい。また、葉書を利用すれば、完成したものを送付することができる。【００１９】  下絵のレイアウトは、これを利用して絵を描く者（以下、利用者という。）が絵を描くとき参考とすることができるように、下絵の上段に下絵の原画である写真を配置してもよい。また、下絵や写真に対する注釈を書き加えることができるように、下絵や写真の周りに余白を設けてもよい。【００２０】  この下絵の淡彩色の線を利用者はペン等の筆記具でなぞることで線画を描く。【００２１】  線画を描く筆記具について、一般的なペンを使用できるが、描き味や仕上がりのイメージにあわせて、鉛筆や毛筆など様々な筆記具を使用してもよい。【００２２】  下絵の淡彩色の線を正確になぞり、必要に応じて下絵には表れていない細部を書き加えれば、正確で緻密な線画となる。しかし、必ずしも淡彩色の線を寸分の違いなくなぞる必要はなく、利用者は淡彩色の線をガイドラインとして自由に描けばよく、こうして描かれた線画は構図や被写体の形が捉えられているうえ、利用者の個性が表現されたものとなる。【００２３】  また、下絵の淡彩色の線をなぞり線画を描くことにより、利用者が下絵のもとになる写真にまつわる思い出などを想起することが期待できるが、下絵は淡彩色の線であるため、想起した思い出を注釈として書き込むのに適している。【００２４】  このようにして、線画として出来栄えの良い絵画を作製することができる。なお、この線画を着色しても良い。【００２５】  完成した絵画には下絵が残るが、下絵は淡彩色の線であるため目立つことはなく、コピー機を利用すれば、淡彩色の線を除いて複写することができる。そして、簡単かつ綺麗に複写することができるため、年賀状などを作製するのにも適している。【００２６】  ��た、完成した絵画は、そのもとになる写真から情報を削り落としたものであるとともに、利用者が直接描いたものであることから、インターネット等での公開においてプライバシーの確保が可能となる。